(57)【特許請求の範囲】
【請求項１】
内部に温風供給装置を有し、外部に温風を供給するホースを備えたふとん乾燥機に、前記ホースを介して装着され前記ふとん乾燥機からの温風を利用して内部に収容された乾燥物を乾燥させる衣類乾燥ケースにおいて、
該衣類乾燥ケースの底面に前記ホースの先端部が内側に突出して装着される装着穴を設け、
前記底面の内側に、前記装着穴を覆い装着されたホースの先端部の突出長を規制する位置規制部材と、該位置規制部材を覆い、前記衣類乾燥ケース内に前記ホース先端部からの温風を吹き出す複数の開口部を有するカバーを設け、
該カバーの各開口部を、前記衣類乾燥ケースの内周面に対向するように設けたことを特徴とする衣類乾燥ケース。
【請求項２】
カバーの各開口部を、それぞれに対応する衣類乾燥ケースの内周面に対してほぼ均一な距離になるようにしたことを特徴とする請求項１記載の衣類乾燥ケース。
【請求項３】
内部に温風供給装置を有し、外部に温風を供給するホースを備えたふとん乾燥機に、前記ホースを介して装着され前記ふとん乾燥機からの温風を利用して内部に収容された乾燥物を乾燥させる衣類乾燥ケースにおいて、
該衣類乾燥ケースの底面をほぼ矩形状に形成し、
該衣類乾燥ケースの底面に前記ホースの先端部が内側に突出して装着される装着穴を設け、
前記底面の内側に、前記装着穴を覆い装着されたホースの先端部の突出長を規制する位置規制部材と、該位置規制部材を覆い、前記衣類乾燥ケース内に前記ホース先端部からの温風を吹き出す複数の開口部を有するカバーを設け、
該カバーの各開口部を前記底面の四隅にそれぞれ対応させ、該四隅に対する距離をほぼ均一にしたことを特徴とする衣類乾燥ケース。
【請求項４】
内部に温風供給装置を有し、外部に温風を供給するホースを備えたふとん乾燥機に、前記ホースを介して装着され前記ふとん乾燥機からの温風を利用して内部に収容された乾燥物を乾燥させる衣類乾燥ケースにおいて、
該衣類乾燥ケースの底面を長方形状または楕円形状に形成し、
該衣類乾燥ケースの底面に前記ホースの先端部が内側に突出して装着される装着穴を設け、
前記底面の内側に、前記装着穴を覆い装着されたホースの先端部の突出長を規制する位置規制部材と、該位置規制部材を覆い、前記衣類乾燥ケース内に前記ホース先端部からの温風を吹き出す複数の開口部を有するカバーを設け、
該カバーの開口部を前記底面の長手方向側に向けたことを特徴とする衣類乾燥ケース。
【請求項５】
装着穴を、衣類乾燥ケースの底面のほぼ中心部からずらした位置に設けたことを特徴とする請求項１乃至４のいずれか記載の衣類乾燥ケース。
【請求項６】
カバーを、非通気材料または水滴を通さない程度の通気材料により構成したことを特徴とする請求項１乃至５のいずれか記載の衣類乾燥ケース。
【請求項７】
内部に温風供給装置を有し、外部に温風を供給するホースを備えたふとん乾燥機に、前記ホースを介して装着され前記ふとん乾燥機からの温風を利用して内部に収容された乾燥物を乾燥させる衣類乾燥ケースにおいて、
該衣類乾燥ケースの底面に前記ホースの先端部が内側に突出して装着される装着穴を設け、
前記底面の内側に、前記装着穴を覆い装着されたホースの先端部の突出長を規制する位置規制部材を備え、
該位置規制部材を、通気材料により構成したことを特徴とする衣類乾燥ケース。
【請求項８】
内部に温風供給装置を有し、先端部に収容された乾燥物を温風を利用して乾燥させる衣類乾燥ケースが装着されるホースを備えたふとん乾燥機において、
前記衣類乾燥ケースの底面に前記ホースの先端部が内側に突出して装着される装着穴を設け、
前記ホースの先端部を、両端部に前記衣類乾燥ケースの内周面に温風を吹き出す吹出口を有する筒状の頭部と、該頭部のほぼ中間部に設けられて前記頭部と連通し前記ホースに連結された筒状の胴部とからなる正面ほぼＴ字状に形成し、
前記頭部の前記両吹出口の周縁部の下方に切除部を設けたことを特徴とするふとん乾燥機。
【請求項９】
内部に温風供給装置を有し、先端部に収容された乾燥物を温風を利用して乾燥させる衣類乾燥ケースが装着されるホースを備えたふとん乾燥機において、
前記衣類乾燥ケースの底面を長方形状または楕円形状に形成し、
該衣類乾燥ケースの底面に前記ホースの先端部が内側に突出して装着される装着穴を設け、
前記ホースの先端部は側面に複数の吹出口を有し、
該ホースの先端部の吹出口を前記衣類乾燥ケースの底面の長手方向側に向けたことを特徴とするふとん乾燥機。
【請求項１０】
装着穴を、衣類乾燥ケースの底面のほぼ中心部からずらした位置に設けたことを特徴とする請求項８または９記載のふとん乾燥機。
【発明の詳細な説明】
【０００１】
【発明の属する技術分野】
本発明は、ハンガー等に干された衣類やタオル類などの乾燥物が複数収容され、その乾燥物を温風を利用して乾燥させる衣類乾燥ケースおよびふとん乾燥機に関するものである。
【０００２】
【従来の技術】
ふとん乾燥機の温風を利用して乾燥物を乾燥させる衣類乾燥ケースの一例として、例えば実開平５−９１５９６号公報に開示された考案があり、図１５にそれを示す。
【０００３】
図において、２１は内部に温風供給装置を有するふとん乾燥機、２２はふとん乾燥機２１に接続されたホースで、その先端部に後述する乾燥ケースが接続され乾燥ケース内にふとん乾燥機２１からの温風を供給する。２４は例えばＴシャツや靴下などの衣類やタオル類などの乾燥物２３が複数収容され、ふとん乾燥機２１からの温風により乾燥物２３を乾燥する乾燥ケースで、ナイロン製のやわらかい布で縦方向に長いほぼ直方体に形成されており、天面２４ａに後述するハンガーのフックを通す穴２５が設けられ、底面２４ｂにホース２２の先端部が装着される穴２６が設けられている。２７は例えば円形状または矩形状の枠を有し、その枠にほぼ等間隔に洗濯ばさみが取り付けられて、枠を平行に吊るフック２７ａが上部に設けられたハンガーで、複数の乾燥物２３が干せる。２８は乾燥ケース２４内の下部に設けられたネットで、ハンガー２７から外れて落下した乾燥物２３がホース２２の先端部にかかるのを防ぐ。
【０００４】
このように構成した乾燥ケース２４を用いて複数の乾燥物２３を乾燥する場合、まず、ハンガー２７に乾燥物２３を干し、ハンガー２７のフック２７ａを乾燥ケース２４の穴２５に内側から通してハンガー２７および乾燥物２３を乾燥ケース２４内に入れ、フック２７ａを鴨居などにかける。ついで、ホース２２の先端部を乾燥ケース２４の穴２６に外側から挿入して装着し、乾燥ケース２４に設けられたファスナー（図示せず）で固定して、乾燥ケース２４の側面に縦方向に設けられたファスナー（図示せず）を閉めて乾燥物２３を収容する。そして、ふとん乾燥機２１を駆動し、ふとん乾燥機２１内で発生した温風をホース２２を介して乾燥ケース２４内に供給する。供給された温風は乾燥ケース２４内の下方から上方に送られ、乾燥物２３を乾燥する。
【０００５】
【発明が解決しようとする課題】
上記のような従来の乾燥ケース２４は、その底面２４ｂに設けられた穴２６にふとん乾燥機２１のホース２２を外側から挿入して装着し、ホース２２を介して送られたふとん乾燥機２１からの温風によって収容された乾燥物２３を乾燥する。しかしながら、乾燥ケース２４の穴２６に装着されたホース２２の先端部の吹出口は、ほぼ真上方向（天面２４ａ方向）に向けられているため、温風がそのまま上方に直進してしまい、その直進範囲にある乾燥物２３に多くの温風が当たって早く乾き、その範囲外の乾燥物２３は温風があまり当たらず乾きが遅くなってしまうなどの乾燥むらが生じることがあった。また、乾燥ケース２４の穴２６は天面２４ａに設けられた穴２５と対向した位置に設けられているため、直進した温風が乾燥ケース２４内全体に回らないうちに穴２５から乾燥ケース２４外に出てしまい、乾燥効率を低下させてしまっていた。さらに、乾燥ケース２４内には、乾燥物２３がハンガー２７から外れて落下した場合にホース２２の吹出口が塞がれるのを防止するネット２８が設けられているものの、乾燥物２３からたれる水滴を遮断することはできないため、乾燥物２３からの水滴または落下して底面２４ｂに溜まった水がホース２２の吹出口からホース２２内に入ってしまい、場合によってはふとん乾燥機２１内まで送られてしまうことがあった。
【０００６】
本発明は、上記のような課題を解決するためになされたもので、温風を全体に満遍なく送って乾燥むらを防ぎ、ホース側への水の侵入を防ぐことのできる乾燥効率の高い衣類乾燥ケースおよびふとん乾燥機を提供することを目的としたものである。
【０００７】
【課題を解決するための手段】
本発明に係る衣類乾燥ケースは、内部に温風供給装置を有し、外部に温風を供給するホースを備えたふとん乾燥機に、ホースを介して装着されふとん乾燥機からの温風を利用して内部に収容された乾燥物を乾燥させる衣類乾燥ケースにおいて、衣類乾燥ケースの底面にホースの先端部が内側に突出して装着される装着穴を設け、底面の内側に、装着穴を覆い装着されたホースの先端部の突出長を規制する位置規制部材と、位置規制部材を覆い、衣類乾燥ケース内にホース先端部からの温風を吹き出す複数の開口部を有するカバーを設け、カバーの各開口部を、衣類乾燥ケースの内周面に対向するように設けたものである。
【０００９】
本発明に係る衣類乾燥ケースは、カバーの各開口部を、それぞれに対応する衣類乾燥ケースの内周面に対してほぼ均一な距離になるようにしたものである。
【００１０】
本発明に係る衣類乾燥ケースは、内部に温風供給装置を有し、外部に温風を供給するホースを備えたふとん乾燥機に、ホースを介して装着されふとん乾燥機からの温風を利用して内部に収容された乾燥物を乾燥させる衣類乾燥ケースにおいて、衣類乾燥ケースの底面をほぼ矩形状に形成し、衣類乾燥ケースの底面にホースの先端部が内側に突出して装着される装着穴を設け、底面の内側に、装着穴を覆い装着されたホースの先端部の突出長を規制する位置規制部材と、位置規制部材を覆い、衣類乾燥ケース内に前記ホース先端部からの温風を吹き出す複数の開口部を有するカバーを設け、カバーの各開口部を底面の四隅にそれぞれ対応させ、その四隅に対する距離をほぼ均一にしたものである。
【００１１】
本発明に係る衣類乾燥ケースは、内部に温風供給装置を有し、外部に温風を供給するホースを備えたふとん乾燥機に、ホースを介して装着されふとん乾燥機からの温風を利用して内部に収容された乾燥物を乾燥させる衣類乾燥ケースにおいて、衣類乾燥ケースの底面を長方形状または楕円形状に形成し、衣類乾燥ケースの底面にホースの先端部が内側に突出して装着される装着穴を設け、底面の内側に、装着穴を覆い装着されたホースの先端部の突出長を規制する位置規制部材と、位置規制部材を覆い、衣類乾燥ケース内にホース先端部からの温風を吹き出す複数の開口部を有するカバーを設け、カバーの開口部をケース底面の長手方向側に向けたものである。
【００１２】
本発明に係る衣類乾燥ケースは、装着穴を、衣類乾燥ケースの底面のほぼ中心部からずらした位置に設けたものである。
【００１３】
本発明に係る衣類乾燥ケースは、カバーを、非通気材料または水滴を通さない程度の通気材料により構成したものである。
【００１４】
本発明に係る衣類乾燥ケースは、内部に温風供給装置を有し、外部に温風を供給するホースを備えたふとん乾燥機に、ホースを介して装着されふとん乾燥機からの温風を利用して内部に収容された乾燥物を乾燥させる衣類乾燥ケースにおいて、衣類乾燥ケースの底面にホースの先端部が内側に突出して装着される装着穴を設け、底面の内側に、装着穴を覆い装着されたホースの先端部の突出長を規制する位置規制部材を備え、位置規制部材を、通気材料により構成したものである。
【００１５】
本発明に係るふとん乾燥機は、内部に温風供給装置を有し、先端部に収容された乾燥物を温風を利用して乾燥させる衣類乾燥ケースが装着されるホースを備えたふとん乾燥機において、衣類乾燥ケースの底面にホースの先端部が内側に突出して装着される装着穴を設け、ホースの先端部を、両端部に衣類乾燥ケースの内周面に温風を吹き出す吹出口を有する筒状の頭部と、頭部のほぼ中間部に設けられて頭部と連通しホースに連結された筒状の胴部とからなる正面ほぼＴ字状に形成し、頭部の両吹出口の周縁部の下方に切除部を設けたものである。
【００１９】
本発明に係るふとん乾燥機は、内部に温風供給装置を有し、先端部に収容された乾燥物を温風を利用して乾燥させる衣類乾燥ケースが装着されるホースを備えたふとん乾燥機において、衣類乾燥ケースの底面を長方形状または楕円形状に形成し、衣類乾燥ケースの底面にホースの先端部が内側に突出して装着される装着穴を設け、ホースの先端部は側面に複数の吹出口を有し、ホースの先端部の吹出口を衣類乾燥ケースの底面の長手方向側に向けたものである。
【００２０】
本発明に係るふとん乾燥機は、装着穴を、衣類乾燥ケースの底面のほぼ中心部からずらした位置に設けたものである。
【００２１】
【発明の実施の形態】
実施の形態１．
図１は本発明の実施の形態１の正面側から見た模式図、図２はその側面側から見た模式図、図３は本発明の実施の形態１に係る衣類乾燥ケースの斜視図およびその要部の分解斜視図、図４は本発明に係る実施の形態１の要部の拡大斜視図、図５はそのＡ−Ａ断面図である。
【００２２】
図において、１は内部に温風供給装置を有するふとん乾燥機、２はふとん乾燥機１に接続されたホースで、その先端部３に後述する衣類乾燥ケースが接続され先端部３の吹出口３ｂから衣類乾燥ケース内にふとん乾燥機１からの温風を供給する。なお、このふとん乾燥機１は、衣類乾燥ケースに代えてホース２にエアーマットを接続すれば、敷きふとんや掛けふとんなどを乾燥させる通常のふとん乾燥機として使用することができる。
【００２３】
４は例えばＴシャツや靴下などの衣類やタオル類などの乾燥物１１が複数収容され、ふとん乾燥機１からの温風により乾燥物１１を乾燥するための衣類乾燥ケースで、例えばナイロンなどの非通気材料または乾燥物１１からの水滴を通さない程度の通気材料により構成されており、幅方向に長い矩形状の天面４ａおよび底面４ｂを有する縦方向に長いほぼ直方体状に形成されている。そして、天面４ａのほぼ中心部には後述するハンガーのフックが挿通される挿通穴５が設けられ、底面４ｂのほぼ中心部にはふとん乾燥機１のホース２の先端部３が内側に突出して装着されるゴム状の如き伸縮性を有する装着穴６が設けられている。なお、衣類乾燥ケース４の形状はこれに限定するものではなく、例えば天面４ａおよび底面４ｂの形状を円形状または正方形に形成して円柱状または立方体状としてもよい。また、非通気材料で構成した場合は、底面４ｂを除く衣類乾燥ケース４の一部、例えば側面の下方に熱交換された温風を排気させる排気口を設けてもよい。
【００２４】
７は衣類乾燥ケース４の底面４ｂの内側で装着穴６を覆うように設けられ、ホース２の先端部３の衣類乾燥ケース１内への突出長を規制しその位置に保持する位置規制部材で、図３に示すように、例えば通気抵抗にならない程度の大きいメッシュ、線材またはネットなどからなる通気材料あるいは通気性を有する弾性体などによってほぼ長方形状に形成されており、長手方向にそれと直交する方向に広がるタック７ａが設けられていて、その長手方向が底面４ｂの長手方向と同方向になるように取り付けられている。そして、図５に示すように、ホース２の先端部３が衣類乾燥ケース４の装着穴６を介して装着されると、位置規制部材４を上方に押し上げかつタック７ａを広げながらホース２の先端部３は衣類乾燥ケース４内へ突出するが、タック７ａが広がりきった時点で突出長が規制されその位置に保持される。これにより、ホース２の先端部３が後述するカバーに接触せず一定量の空間が確保されて、先端部３の吹出口３ａがカバーによって塞がれることはない。
【００２５】
８は衣類乾燥ケース４の底面４ｂの内側で位置規制部材７を覆うように設けられたカバーで、衣類乾燥ケース４と同様な材料によって側面形状がほぼ山形状に形成されており、その長手方向が底面４ｂの長さ方向と同方向になるように取り付けられていて、図４に示すように、両側の開口部８ａからホース２を介して送られた温風を衣類乾燥ケース４内に供給する。このとき、カバー８が非通気材料で構成されている場合は、カバー８の両開口部８ａからのみ温風が吹き出され、水滴を通さない程度の通気材料で構成されている場合は、両開口部８ａとカバー８の表面から温風が吹き出される。なお、表面からの吹き出しは両開口部８ａよりも少量となる。また、カバー８は、図２および図５に示すように、乾燥物１１から落ちる水滴Ｗが直接ホース２内に入り込むのを防いでおり、水滴Ｗがカバー８に当たりその表面を伝って下方に流れるようになっている。このとき、通気材料で構成されたカバー８の場合は水滴Ｗがカバー８の表面に付着してしみ込むことがあるが、表面から温風が吹き出すためその温風によって付着している水滴Ｗが飛ばされて底面４ｂ側に落とされる。
【００２６】
９は衣類乾燥ケース４の挿通穴５から底面４ｂの近傍に向かう縦方向に設けられ、衣類乾燥ケース４を開閉するファスナー９で、挿通穴５とファスナー９の上端部との間には衣類乾燥ケース４をハンガーのフックに仮止めするマジックテープ（登録商標）１０が設けられている。
【００２７】
１２は例えば円形状または矩形状の枠１２ａを有し、その枠１２ａにほぼ等間隔に洗濯ばさみ１３が取り付けられて、枠１２ａを平行に吊るフック１４が上部に設けられたハンガーで、複数の乾燥物１１がせるように構成されている。なお、ハンガー１２の形状はこれに限定するものではなく、複数の乾燥物１１が干せるものであれば適宜変更することができる。
【００２８】
このように構成されたこの実施の形態１において、複数の乾燥物１１を乾燥する場合、まず、複数の乾燥物１１をそれぞれ洗濯ばさみ１３に挟んでハンガー１２に干し、ハンガー１２のフック１４を鴨居などにかける。ついで、ファスナー９を開いた衣類乾燥ケース４の挿通穴５をフック１４にかけてマジックテープ（登録商標）１０で仮止めし、衣類乾燥ケース４をハンガー１２および乾燥物１１にかぶせてファスナー９を閉め、衣類乾燥ケース４内に乾燥物１１を収容する。そして、ふとん乾燥機１を衣類乾燥ケース４の近傍に設置してホース２をのばし、ホース２の先端部３を衣類乾燥ケース４の装着穴６に下から差し込んで装着する。
【００２９】
このとき、ホース２の先端部３は衣類乾燥ケース４の位置規制部材７によって一定量が差し込まれるが、その位置で保持されるためそれ以上挿入されない。また、ハンガー１２に干した乾燥物１１からの水滴Ｗは衣類乾燥ケース４の底面４ｂに落ちるが、ホース２の先端部３はカバー８によって覆われているため、ホース２内への水滴Ｗの直接的な侵入が遮断され、水滴Ｗはカバー８の表面を伝って底面４ｂに落ちる。そして、底面４ｂに溜まった水は底面４ｂのほぼ中心部に集まることがあるが、ホース２の先端部３は底面４ｂから上方に突出して装着されているため、底面４ｂに溜まった水が容易に先端部３からホース２内に入らず、ふとん乾燥機１への水の侵入は防止される。また、底面４ｂに溜まった水は衣類乾燥ケース４内の温風によって蒸発する。
【００３０】
次に、ふとん乾燥機１を駆動すると、ふとん乾燥機１内で発生した温風は、ホース２を通って衣類乾燥ケース４に装着された先端部３に送られ、図４に示すように、ほぼ真上方向（天面４ａ方向）に向けられた先端部３の吹出口３ａから温風が吹き出される。そして、吹き出された温風は、矢印Ｘに示すようにカバー８の内面に当たるとともにカバー８とホース２の先端部３との空間からカバー８の両開口部８ａに送られ、両開口部８ａから衣類乾燥ケース４内に供給される。なお、カバー８が通気材料で構成されている場合は温風の一部がカバー８の表面からも供給される。ついで、供給された温風は、衣類乾燥ケース４内の下方から上方に満遍なく広がりながら送られ、乾燥物１１を乾燥する。このとき、カバー８の両開口部８ａは衣類乾燥ケース４の長手方向側を向いているため、温風を衣類乾燥ケース４の隅まで行き渡らせることができ、ハンガー１２の端に干した乾燥物１１にも温風が届いて、全体を均一に効率よく乾燥する。
【００３１】
このように、ホース２の先端部３が突出して装着される衣類乾燥ケース４の装着穴６に、装着穴６を覆い先端部３の突出長を規制しその位置で保持する位置規制部材７を設けるとともに、位置規制部材７を覆って先端部３の吹出口３ａへの乾燥物１１の水滴Ｗの侵入を防ぎ、吹出口３ａからの温風を衣類乾燥ケース４の長手方向に導いて衣類乾燥ケース４全体に温風を満遍に行き渡らせるカバー８を設けたので、先端部３の差し込みすぎを抑えてカバー８による吹出口３ａの閉塞を防ぐことができ、確実に温風を衣類乾燥ケース４内に供給することができる。また、カバー８によって乾燥物１１から落下した水滴Ｗがホース２内に侵入するのを防ぐことができるとともに、突出した先端部３によって衣類乾燥ケース４の底面４ｂに溜まった水が先端部３から容易に侵入するのを防ぐことができ、ふとん乾燥機１の安全性を確保することができる。さらに、カバー８の両開口部８ａが衣類乾燥ケース４の長手方向側に向いているため、先端部３の吹出口３ａからの温風が真上に直進することなく衣類乾燥ケース４全体に満遍なく広がって行き渡り、乾燥物１１を乾燥むらなく均一に乾燥できる。これにより、乾燥効率の高い衣類乾燥ケース４を得ることができる。
【００３２】
実施の形態２．
図６は本発明の実施の形態２の側面側から見た模式図、図７はその要部の作用説明図である。この実施の形態２は、実施の形態１に係る衣類乾燥ケース４において、その底面４ｂのほぼ中心部に設けた装着穴６を例えば正面側にずらして設けたものである。なお、この実施の形態２では装着穴６を正面側にずらして設けたが、ほぼ中心部を除く底面４ｂのいずれの位置に設けてもよい。
【００３３】
このように構成したことにより、実施の形態１とほぼ同じ作用および効果が得られるとともに、装着穴６を衣類乾燥ケース４の底面４ｂのほぼ中心部よりずらして設けたことにより、図７に示すように、乾燥物１１から落下した水滴Ｗが水の重みで底面４ｂのほぼ中心部が垂れ下がった状態で溜まっても、ホース２の先端部３から溜まった水が侵入するのを防ぐことができ、装着穴６から衣類乾燥ケース４外への水漏れも防止することができる。
【００３４】
実施の形態３．
図８は本発明の実施の形態３の要部の平面図で、この実施の形態３は、実施の形態１に係る衣類乾燥ケース４のカバー８において、開口部８ａが設けられた長手方向のほぼ中間部の両表面に、開口部８ａの吹出方向に直交する方向に温風を吹き出す開口部８ｂを設けたものである。
【００３５】
このように構成したことにより、実施の形態１とほぼ同じ作用および効果が得られるとともに、ホース２の吹出口３ａから吹き出される温風が、衣類乾燥ケース４の底面４ｂの長手方向に吹き出す開口部８ａと開口部８ａの吹出方向に直交する方向に吹き出す開口部８ｂによって４方向に吹き出されるため、衣類乾燥ケース４全体により満遍なく広がって隅々まで行き渡らせることができ、乾燥物１１の乾燥効率を高めることができる。また、図８に示すように、開口部８ａから底面４ｂの長手方向の辺４ｃの距離Ｌ１と、開口部８ｂから底面４ｂの長手方向と平行な辺４ｄの距離Ｌ２を等しくする（Ｌ１＝Ｌ２）ことにより、各開口部８ａ，８ｂから衣類乾燥ケース４内に吹き出される温風の量をほぼ均一にすることができ、乾燥効率をより高めることができる。
【００３６】
なお、上述の実施の形態３では、カバー８の両表面に開口部８ｂを設けた場合を示したが、カバー８の形状は実施の形態１，３に限定されるものではなく、例えば側面形状を円弧状または矩形状とし、平面形状を図９に示すようにＸ状または図１０に示すように矩形状にしてもよい。図９に示すＸ状の場合は、開口部８ａを衣類乾燥ケース４の底面４ｂの四隅にそれぞれ対向するように設け、その四隅から各開口部８ａまでの距離Ｌ３〜Ｌ６をそれぞれ等しくする（Ｌ３＝Ｌ４＝Ｌ５＝Ｌ６）ことにより、各開口部８ａから衣類乾燥ケース４内に吹き出される温風の量をほぼ均一にすることができて、乾燥効率をより高めることができる。また、図１０に示す矩形状の場合は、側面に複数の開口部８ａを設けることにより、多くの温風を吹き出すことができて乾燥効率をより高めることができる。さらに、開口部８ａも円形状、長穴状、円弧状、矩形状、スリット状または切り欠き状など、温風が吹き出される形状であればいずれの形状に形成してもよい。
【００３７】
そして、上述の実施の形態３ではこの発明を実施の形態１に係る衣類乾燥ケース４に実施した場合を示したが、実施の形態２に係る衣類乾燥ケース４にも実施することができる。この場合も同様の効果を奏する。
【００３８】
実施の形態４．
図１１は本発明の実施の形態４に係るホースの先端部の斜視図で、この実施の形態４は、実施の形態１に係る衣類乾燥ケース４の底面４ｂに設けられた位置規制部材７およびカバー８を省略し、ホース２の先端部３を、両端部に温風が吹き出される吹出口３１ａを有する円筒状の頭部３１と、そのほぼ中間部に設けられて頭部３１と連通しホース２に連結された円筒状の胴部３２とからなる正面ほぼＴ字状に形成したものである。そして、頭部３１の吹出口３１ａにはその周縁部の下部側に切除部３１ｂが設けられており、ハンガー１２から外れて落下した乾燥物１１が先端部３に被さっても、切除部３１ｂによって乾燥物１１との隙間を形成し、乾燥物１１によって吹出口３１ａが塞がれるのを防止して隙間から温風が吹き出されるように構成されている。なお、先端部３を装着穴６に設置する場合は、頭部３１の長手方向が底面４ｂの長手方向と同じ方向になるようにする。
【００３９】
このように構成したことにより、実施の形態１とほぼ同じ作用および効果が得られるとともに、ホース２の先端部３を、両端部に吹出口３１ａを有し、吹出口３１ａの周縁部の下部側に切除部３１ｂを備えた頭部３１と、そのほぼ中間部に設けられてホース２に連結された胴部３２とによって構成したので、頭部３１により乾燥物１１からの水滴Ｗが遮断されてホース２への水の侵入を防ぐとともに、吹出口３１ａからの温風を衣類乾燥ケース４の長手方向に導いて衣類乾燥ケース４全体に温風を満遍に行き渡らせることができ、乾燥効率を高めることができる。また、切除部３１ｂによって落下した乾燥物１１による吹出口３１ａの閉塞を防ぐことができ、確実に温風を衣類乾燥ケース４内に供給することができる。
【００４０】
なお、上述の実施の形態４では、ホース２の先端部３を頭部３１および胴部３２からなる正面ほぼＴ字状に形成した場合を示したが、これに限定するものではなく、乾燥物１１からの水滴Ｗを遮断する天面を有し、衣類乾燥ケース４の内周面側に温風が吹き出される複数の吹出口を側面に備えた先端部であれば適宜変更することができ、吹出口も円形状、長穴状、円弧状、矩形状、スリット状または切り欠き状など、温風が吹き出される形状であればいずれの形状に形成してもよい。
【００４１】
例えば側面の対向する位置にそれぞれ吹出口を有し、内部がホース２と各吹出口とを連通するＴ字状の連通路を備えた有頭筒状の先端部としてもよく、図１２に示すように側面３３ａに複数の吹出口３４を有する有頭円筒状の先端部３３としてもよい。また、図１３に示すように各吹出口３４間の側面３３ａに吹出口３４の閉塞を防ぐためのリブ３５を上下方向に設けた先端部３３としてもよく、図１４に示すように天面３３ｂの外周を側面３３ａより外側に突出するように形成し、各吹出口３４の閉塞を防ぐようにした先端部３３としてもよい。
【００４２】
さらに、上述の実施の形態４ではこの発明を実施の形態１に係る衣類乾燥ケース４に実施した場合を示したが、実施の形態２に係る衣類乾燥ケース４にも実施することができる。この場合も同様の効果を奏する。
【００４３】
【発明の効果】
以上のように本発明に係る衣類乾燥ケースは、内部に温風供給装置を有し、外部に温風を供給するホースを備えたふとん乾燥機に、ホースを介して装着されふとん乾燥機からの温風を利用して内部に収容された乾燥物を乾燥させる衣類乾燥ケースにおいて、衣類乾燥ケースの底面にホースの先端部が内側に突出して装着される装着穴を設け、底面の内側に、装着穴を覆い装着されたホースの先端部の突出長を規制する位置規制部材と、位置規制部材を覆い、衣類乾燥ケース内にホース先端部からの温風を吹き出す複数の開口部を有するカバーを設け、カバーの各開口部を、衣類乾燥ケースの内周面に対向するように設けたので、位置規制部材により先端部の差し込みすぎを抑えてカバーとの間に一定量の空間を有することができ、確実に温風を衣類乾燥ケース内に供給することができる。また、カバーによって乾燥物から落下した水滴のホース内への侵入を防ぐことができるとともに、衣類乾燥ケースの底面より突出した先端部によって底面に溜まった水の先端部からの侵入を防ぐことができ、ふとん乾燥機の安全性を確保することができる。さらに、衣類乾燥ケースの内周面に対向するように設けられた複数の開口部によって先端部からの温風が真上に直進することなく衣類乾燥ケース全体に満遍なく広がって行き渡り、乾燥物を乾燥むらなく均一に乾燥でき、乾燥効率の高い衣類乾燥ケースを得ることができる。
【００４５】
本発明に係る衣類乾燥ケースは、カバーの各開口部を、それぞれに対応する衣類乾燥ケースの内周面に対してほぼ均一な距離になるようにしたので、衣類乾燥ケース内に吹き出される各開口部からの温風の量をほぼ均一にすることができ、乾燥効率をより高めることができる。
【００４６】
本発明に係る衣類乾燥ケースは、衣類乾燥ケースの底面をほぼ矩形状に形成してカバーの各開口部を底面の四隅にそれぞれ対応させ、その四隅に対する距離をほぼ均一にしたので、衣類乾燥ケース内に吹き出される各開口部からの温風の量をほぼ均一にして隅々まで温風を行き渡らせることができ、乾燥効率をより高めることができる。
【００４７】
本発明に係る衣類乾燥ケースは、衣類乾燥ケースの底面を長方形状または楕円形状に形成し、カバーの開口部を底面の長手方向側に向けたので、先端部からの温風が真上方向に直進することなく衣類乾燥ケース全体に満遍なく広がって隅々まで行き渡り、乾燥物を乾燥むらなく均一に乾燥させることができ、乾燥効率の高い衣類乾燥ケースを得ることができる。
【００４８】
本発明に係る衣類乾燥ケースは、装着穴を、衣類乾燥ケースの底面のほぼ中心部からずらした位置に設けたので、底面の中心部に溜まりやすい水の先端部からの侵入を防ぐことができるとともに、装着穴からの衣類乾燥ケース外への水漏れを防止することができる。
【００４９】
本発明に係る衣類乾燥ケースは、カバーを、非通気材料または水滴を通さない程度の通気材料により構成したので、非通気材料の場合はカバーの開口部から確実に温風を供給することができ、水滴を通さない程度の通気材料の場合はカバー全体からも温風を供給することができ、より乾燥効率を高めることができる。
【００５０】
本発明に係る衣類乾燥ケースは、位置規制部材を、通気材料により構成したので、ホースの先端部から吹き出される温風の通気抵抗を高くさせることなくホースの先端部を所定の位置に保持することができ、衣類乾燥ケース内に温風を確実に供給することができる。
【００５１】
本発明に係るふとん乾燥機は、内部に温風供給装置を有し、先端部に収容された乾燥物を温風を利用して乾燥させる衣類乾燥ケースが装着されるホースを備えたふとん乾燥機において、衣類乾燥ケースの底面にホースの先端部が内側に突出して装着される装着穴を設け、ホースの先端部を、両端部に衣類乾燥ケースの内周面に温風を吹き出す吹出口を有する筒状の頭部と、頭部のほぼ中間部に設けられて頭部と連通しホースに連結された筒状の胴部とからなる正面ほぼＴ字状に形成し、頭部の両吹出口の周縁部の下方に切除部を設けたので、頭部により乾燥物からの水滴を確実に遮断して遮断されてホース内への水の侵入を防ぐことができ、ふとん乾燥機の安全性を確保することができる。また、頭部の両吹出口の周縁部の下方に設けられた切除部により、落下した乾燥物による吹出口の閉塞を防ぐことができ、確実に温風を衣類乾燥ケース内に供給することができる。
【００５５】
本発明に係るふとん乾燥機は、衣類乾燥ケースの底面を長方形状または楕円形状に形成し、ホースの先端部の吹出口を衣類乾燥ケースの底面の長手方向側に向けたので、吹出口からの温風を衣類乾燥ケースの長手方向に導いて衣類乾燥ケース全体に温風を満遍なく行き渡らせることができ、乾燥効率を高めることができる。
【００５６】
本発明に係るふとん乾燥機は、装着穴を、衣類乾燥ケースの底面のほぼ中心部からずらした位置に設けたので、底面の中心部に溜まりやすい水のホースへの侵入を防ぐことができるとともに、装着穴からの衣類乾燥ケース外への水漏れを防止することができる。
【図面の簡単な説明】
【図１】  本発明の実施の形態１の正面側から見た模式図である。
【図２】  本発明の実施の形態１の側面側から見た模式図である。
【図３】  本発明の実施の形態１に係る衣類乾燥ケースの斜視図およびその要部の分解斜視図である。
【図４】  本発明に係る実施の形態１の要部の拡大斜視図である。
【図５】  図４のＡ−Ａ断面図である。
【図６】  本発明の実施の形態２の側面側から見た模式図である。
【図７】  図６の要部の作用説明図である。
【図８】  本発明の実施の形態３の要部の平面図である。
【図９】  本発明の実施の形態３の要部の変形例を示す平面図である。
【図１０】  本発明の実施の形態３の要部の他の変形例を示す平面図である。
【図１１】  本発明の実施の形態４に係るホースの先端部の斜視図である。
【図１２】  本発明の実施の形態４に係るホースの先端部の変形例を示す斜視図である。
【図１３】  本発明の実施の形態４に係るホースの先端部の他の変形例を示す斜視図である。
【図１４】  本発明の実施の形態４に係るホースの先端部のさらに他の変形例を示す斜視図である。
【図１５】  従来のふとん乾燥機の温風を利用して乾燥物を乾燥させる乾燥ケースの模式図である。
【符号の説明】
１  ふとん乾燥機、２  ホース、３，３３  先端部、３ａ，３１ａ，３４  吹出口、４  衣類乾燥ケース、４ｂ  底面、６  装着穴、７  位置規制部材、８  カバー、８ａ，８ｂ  開口部、１１  乾燥物、３１  頭部、３１ｂ  切除部、３２  胴部。
【図１】
0003963207.tif 000002
【図２】
0003963207.tif 000003
【図３】
0003963207.tif 000004
【図４】
0003963207.tif 000005
【図５】
0003963207.tif 000006
【図６】
0003963207.tif 000007
【図７】
0003963207.tif 000008
【図８】
0003963207.tif 000009
【図９】
0003963207.tif 000010
【図１０】
0003963207.tif 000011
【図１１】
0003963207.tif 000012
【図１２】
0003963207.tif 000013
【図１３】
0003963207.tif 000014
【図１４】
0003963207.tif 000015
【図１５】
0003963207.tif 000016